(57)【要約】【課題】ピント誤差を小さくすることができるレンズ鏡筒及び光学システムを提供する。【解決手段】像を撮像するための光学系４と、光学系４による像を所定の倍率に変換する光学装置６に取付け可能なマウント部１３を有し、光学系４を保持する鏡筒３と、像の明るさを調節する絞り部１２と、光学装置６の倍率に関する情報を用いて絞り部１２によって絞り込まれた像面に関する情報を演算する演算部１０とを備えている。【選択図】図１
2008170709.tif 000002
【特許請求の範囲】
【請求項１】
像を撮像するための光学系と、
前記光学系による像を所定の倍率に変換する光学装置に取付け可能なマウント部を有し、前記光学系を保持する鏡筒と、
前記像の明るさを調節する絞り部と、
前記光学装置の倍率に関する情報を用いて前記絞り部によって絞り込まれた像面に関する情報を演算する演算部と
を備えていることを特徴とするレンズ鏡筒。
【請求項２】
請求項１記載のレンズ鏡筒であって、
前記演算部は、前記光学系の設計像面に関する情報と、前記光学系の測定像面に関する情報と、前記光学装置の前記倍率に関する情報と、前記光学系と前記光学装置とを組み合わせたときの設計像面に関する情報とを用いて、前記マウント部に前記光学装置が取り付けられたときの像面の補正量を演算することを特徴とするレンズ鏡筒。
【請求項３】
請求項１又は２記載のレンズ鏡筒であって、
前記光学系の設計像面に関する情報は、前記絞り部を開放から所定の絞り量まで変化させたとき前記光学系による像面が移動する距離についての設計値であり、
前記光学系の測定像面に関する情報は、前記絞り部を開放から所定の絞り量まで変化させたとき前記光学系による像面が移動する距離についての測定値であり、
前記光学系と前記光学装置とを組み合わせたときの設計像面に関する情報は、前記絞り部を開放から所定の絞り量まで変化させたとき前記光学系と前記光学装置とを組み合わせた光学系による像面が移動する距離についての設計値であることを特徴とするレンズ鏡筒。
【請求項４】
請求項１〜３のいずれか１項記載のレンズ鏡筒であって、
前記光学装置はテレコンバータであることを特徴とするレンズ鏡筒。
【請求項５】
請求項２〜４のいずれか１項記載のレンズ鏡筒であって、
前記光学系の設計像面に関する情報をＸとし、前記光学系の測定像面に関する情報をＡとし、前記光学装置の前記倍率に関する情報をＭとし、前記光学系と前記光学装置とを組み合わせたときの設計像面に関する情報をＹとし、前記マウント部に前記光学装置が取付けられたときの像面の補正量をＹ´としたとき、以下の式１を満たすことを特徴とするレンズ鏡筒。
（Ｙ＋（Ｘ−Ａ）×Ｍ2）≦ Ｙ´≦（Ｙ＋（Ｘ−Ａ）×Ｍ2）2                  式１
【請求項６】
請求項５記載のレンズ鏡筒であって、
前記補正量Ｙ´は以下の式２を満たすことを特徴とするレンズ鏡筒。
Ｙ´＝Ｙ＋（Ｘ−Ａ）×Ｍ2                                                 式２
【請求項７】
請求項１〜６のいずれか１項記載のレンズ鏡筒を備えていることを特徴とする光学システム。
【発明の詳細な説明】
【技術分野】
【０００１】
この発明はレンズ鏡筒及び光学システムに関する。
【背景技術】
【０００２】
レンズの交換が可能な一眼レフカメラの使用態様として、レンズとカメラ本体との間にテレコンバータ（以下テレコンという）を装着し、レンズの焦点距離を伸ばして被写体を大きく撮影する方法が知られている（特許３３４５８９０号公報参照）。
【特許文献１】特許３３４５８９０号公報
【発明の開示】
【発明が解決しようとする課題】
【０００３】
この発明の課題はピント誤差を小さくすることができるレンズ鏡筒及び光学システムを提供することである。
【課題を解決するための手段】
【０００４】
上記課題を解決するため請求項１記載の発明は、像を撮像するための光学系と、前記光学系による像を所定の倍率に変換する光学装置に取付け可能なマウント部を有し、前記光学系を保持する鏡筒と、前記像の明るさを調節する絞り部と、前記光学装置の倍率に関する情報を用いて前記絞り部によって絞り込まれた像面に関する情報を演算する演算部とを備えていることを特徴とする。
【０００５】
請求項２に記載の発明は、請求項１記載のレンズ鏡筒であって、前記演算部は、前記光学系の設計像面に関する情報と、前記光学系の測定像面に関する情報と、前記光学装置の前記倍率に関する情報と、前記光学系と前記光学装置とを組み合わせたときの設計像面に関する情報とを用いて、前記マウント部に前記光学装置が取り付けられたときの像面の補正量を演算することを特徴とする。
【０００６】
請求項３に記載の発明は、請求項１又は２記載のレンズ鏡筒であって、請求項１又は２記載のレンズ鏡筒であって、前記光学系の設計像面に関する情報は、前記絞り部を開放から所定の絞り量まで変化させたとき前記光学系による像面が移動する距離についての設計値であり、前記光学系の測定像面に関する情報は、前記絞り部を開放から所定の絞り量まで変化させたとき前記光学系による像面が移動する距離についての測定値であり、前記光学系と前記光学装置とを組み合わせたときの設計像面に関する情報は、前記絞り部を開放から所定の絞り量まで変化させたとき前記光学系と前記光学装置とを組み合わせた光学系による像面が移動する距離についての設計値であることを特徴とする。
【０００７】
請求項４に記載の発明は、請求項１〜３のいずれか１項記載のレンズ鏡筒であって、前記光学装置はテレコンバータであることを特徴とする。
【０００８】
請求項５に記載の発明は、請求項２〜４のいずれか１項記載のレンズ鏡筒であって、前記光学系の設計像面に関する情報をＸとし、前記光学系の測定像面に関する情報をＡとし、前記光学装置の前記倍率に関する情報をＭとし、前記光学系と前記光学装置とを組み合わせたときの設計像面に関する情報をＹとし、前記マウント部に前記光学装置が取付けられたときの像面の補正量をＹ´としたとき、以下の式１を満たすことを特徴とする。
（Ｙ＋（Ｘ−Ａ）×Ｍ2）≦ Ｙ´≦（Ｙ＋（Ｘ−Ａ）×Ｍ2）2                  式１
【０００９】
請求項６に記載の発明は、請求項５記載のレンズ鏡筒であって、前記補正量Ｙ´は以下の式２を満たすことを特徴とする。
Ｙ´＝Ｙ＋（Ｘ−Ａ）×Ｍ2                                                 式２
【００１０】
請求項７に記載の発明は、請求項１〜６のいずれか１項記載のレンズ鏡筒を備えていることを特徴とする光学システム。
【発明の効果】
【００１１】
この発明によれば、ピント誤差を小さくすることができる。
【発明を実施するための最良の形態】
【００１２】
以下、この発明の実施の形態を図面に基づいて説明する。
【００１３】
図１はこの発明の一実施形態に係るレンズ鏡筒を有する光学システムの構成を説明する図、図２はレンズだけを使用したときに絞り部を、例えば開放からＦ８（所定の絞り量）まで変化させたときの最良像面位置を示す図、図３はレンズにテレコンバージョンレンズを組み合わせたときに、絞り部を開放からＦ８（所定の絞り量）まで変化させたときの最良像面位置を示す図である。
【００１４】
図２において、実線は開放時の光束、点線及び２点鎖線はＦ８に絞ったときの光束を示す。Ｐ１、Ｐ２及びＰ３はそれぞれ開放時のピント位置、Ｆ８に絞ったときの位置（設計値）及び実際のＦ８に絞ったときの位置（測定値）を示す。
【００１５】
図３において、実線及び２点鎖線はそれぞれ開放時の光束及びＦ８に絞ったときの光束を示す。Ｐ４及びＰ５はそれぞれ開放時のピント位置、Ｆ８に絞ったときの位置（設計値）を示す。
【００１６】
図１に示すように、この光学システムはカメラ本体１とレンズ鏡筒（鏡筒）３とテレコンバータ（光学装置）６とを備えている。
【００１７】
カメラ本体１内には焦点検出装置２と変換装置９とが収容されている。焦点検出装置２は像面位置のずれ量を検出する。変換装置９は焦点検出装置２及び後述するＣＰＵ（演算部）１０に接続され、ＣＰＵ１０からの入力情報である補正量Ｙ´に基いて、焦点検出装置２で検出された像面位置のずれ量を補正して正確な像面ずれ量に変換する。
【００１８】
テレコンバータ６はカメラ本体１とレンズ鏡筒３との間に配置されている。テレコンバータ６にはテレコンバージョンレンズ群７と第１の情報記憶装置８とが収容されている。第１の情報記憶装置８にはテレコンバータ６の倍率情報Ｍが記憶されている。
【００１９】
レンズ鏡筒３にはレンズ群（光学系）４が収容されている。レンズ群４は鏡筒１１に保持されている。鏡筒１１はマウント部１３を介してテレコンバータ６に装着される。レンズ鏡筒３内には絞り部１２とＣＰＵ（演算部）１０と第２の情報記憶装置５とが収容されている。第２の情報記憶装置５には、レンズ群４の設計像面位置に関する情報Ｘ、レンズ群４の測定像面位置に関する情報Ａ、レンズ群４とテレコンバータ６とを組み合わせたときの設計像面位置に関する情報Ｙ等が記憶されている。
【００２０】
ＣＰＵ１０は第１の情報記憶装置８及び第２の情報記憶装置５に接続されている。ＣＰＵ１０は、レンズ鏡筒３にテレコンバータ６を組み合わせたとき、第１の情報記憶装置８及び第２の情報記憶装置５に記憶された情報を読み込み、テレコンバータ６が取り付けられたときの像面位置の補正量Ｙ´を演算する。補正量Ｙ´は２式によって近似的に求められる。
Ｙ´＝Ｙ＋（Ｘ−Ａ）×Ｍ2                                                ２式
【００２１】
ＣＰＵ１０は、第１の情報記憶装置８からテレコンバータ６の倍率に関する情報Ｍを入力し、第２の情報記憶装置５からレンズ群４の設計像面位置に関する情報（図４のＦ０Ｆ８設計値）Ｘ、レンズ群４の測定像面位置に関する情報Ａ、レンズ群４とテレコンバータ６とを組み合わせたときの設計像面位置に関する情報Ｙを入力し、補正量Ｙ´を演算し、変換装置９へ出力する。
【００２２】
変換装置９はＣＰＵ１０からの入力情報である補正量Ｙ´に基いて、焦点検出装置２で検出された像面位置のずれ量を補正して正確な像面ずれ量に変換する。
【００２３】
なお、レンズ群４の設計像面位置に関する情報Ｘは、絞り部１２を開放からＦ８（所定の絞り量）まで変化させたときのレンズ群４による像面位置が移動する距離についての設計値である。
【００２４】
また、レンズ群４の測定像面位置に関する情報Ａは、絞り部１２を開放からＦ８（所定の絞り量）まで変化させたときのレンズ群４による像面位置が移動する距離についての測定値である。
【００２５】
更に、レンズ群４とテレコンバータ６とを組み合わせたときの設計像面位置に関する情報Ｙは、絞り部１２を開放からＦ８まで変化させたときのレンズ群４とテレコンバータ６とを組み合わせた光学系による像面位置が移動する距離についての設計値である。
【００２６】
図４はレンズ単体（テレコンを装着していない状態）のとき、１．４倍テレコンを装着したとき、１．７倍テレコンを装着したとき、２．０倍テレコンを装着ときの無限遠（ｄ０）から至近距離（ｄｎ）まで変化させたときのＦ０Ｆ８設計値とＦ０Ｆ８補正をしたときの補正値とを示す図、図５はレンズ単体のとき、１．４倍テレコンを装着したとき、１．７倍テレコンを装着したとき、２．０倍テレコンを装着ときの無限遠（ｄ０）から至近距離（ｄｎ）まで変化させたときのＦ０Ｆ８設計値とＦ０Ｆ８補正をしないときの値とを比較例として示した図である。
【００２７】
図４において、左側の図はＦ０Ｆ８設計値を示し、右側の図はＦ０Ｆ８補正をしたときを示す。また、図５において、左側の図はＦ０Ｆ８設計値を示し、右側の図はＦ０Ｆ８補正をしたとき及び補正をしないときを示す。図４、５において、ｄ０〜ｄｎはそれぞれ被写体までの距離を示す。ｄ０は無限遠であることを示し、ｄｎは至近距離であることを示し、ｄ１、ｄ２・・・はｄ０とｄｎとの中間であることを示す。
【００２８】
また、１．４、１．７及び２．０はそれぞれテレコンバータ６の倍率（Ｍ）を示す。
【００２９】
Ｘ０〜Ｘｎはテレコンバータ６を装着しないで、絞り部１２を開放からＦ８まで変化させたときのレンズ群４による像面位置が移動する距離についての設計値、Ｙ０〜Ｙｎは１．４倍テレコンバータ６を装着し、絞り部１２を開放からＦ８まで変化させたときのレンズ群４による像面位置が移動する距離についての設計値、Ｚ０〜Ｚｎは１．７倍テレコンバータを装着し、絞り部１２を開放からＦ８まで変化させたときのレンズ群４による像面位置が移動する距離についての設計値、Ｗ０〜Ｗｎは２．０倍テレコンバータを装着し、絞り部１２を開放からＦ８まで変化させたときのレンズ群４による像面位置が移動する距離についての設計値である。
【００３０】
図４、５からわかるように、レンズ単体の場合にはオフセット量Ｂ（＝Ｘ０−Ａ）を加えることによってＦ０Ｆ８補正が行われる。
【００３１】
なお、図４中、１．４＾２、１．７＾２及び２．０＾２は、それぞれ１．４2  、１．７2  、２．０2  を示す。
【００３２】
上記２式で得られた補正量Ｙ´によってテレコンバータ６を装着した場合の設計値を測定値に近づけることができる。比較例ではテレコンバータ６を装着した場合に補正をしていないので、設計値と測定値とのずれが生じる。
【００３３】
この実施形態によれば、テレコンバータ６を装着した場合に設計値を測定値に近づけることができるので、ピントずれを小さくすることができる。また、演算によって補正量を求めるので、レンズ群４とテレコンバージョンレンズ群７との組合せについて全ての補正量を記憶しておく必要がないので、記憶容量の小さい情報記憶装置を用いることができ、製造コストの低減を図ることができる。更に、ＣＰＵ１０をレンズ鏡筒３に設けたので、複数のテレコンバータ６を交換しながら用いる場合にも容易に対応することができる。
【００３４】
なお、補正量Ｙ´は、下記の式１を満たす値であれば、上記式２で得られる値に限られるものではない。
（Ｙ＋（Ｘ−Ａ）×Ｍ2）≦ Ｙ´≦（Ｙ＋（Ｘ−Ａ）×Ｍ2）2                  式１
【００３５】
また、上述した実施の形態では開放とＦ８とを用いて絞り量を説明したが、これに限定されるものではない。
【図面の簡単な説明】
【００３６】
【図１】図１はこの発明の一実施形態に係るレンズ鏡筒を有する光学システムの構成を説明する図である。
【図２】図２はレンズだけを使用したときに絞り部を開放からＦ８（所定の絞り量）まで変化させたときの最良像面位置を示す図である。
【図３】図３はレンズにテレコンバージョンレンズを組み合わせたときに、絞り部を開放からＦ８（所定の絞り量）まで変化させたときの最良像面位置を示す図である。
【図４】図４はレンズ単体のとき、１．４倍テレコンを装着したとき、１．７倍テレコンを装着したとき、２．０倍テレコンを装着ときの無限遠（ｄ０）から至近距離（ｄｎ）まで変化させたときのＦ０Ｆ８設計値とＦ０Ｆ８補正をしたときの補正値とを示す図である。
【図５】図５はレンズ単体のとき、１．４倍テレコンを装着したとき、１．７倍テレコンを装着したとき、２．０倍テレコンを装着ときの無限遠（ｄ０）から至近距離（ｄｎ）まで変化させたときのＦ０Ｆ８設計値とＦ０Ｆ８補正をしないときの値とを比較例として示した図である。
【符号の説明】
【００３７】
３：レンズ鏡筒（鏡筒）、４：レンズ群（光学系）、６：テレコンバータ（光学装置）、１０：ＣＰＵ（演算部）、１１：鏡筒、１２：絞り部、１３：マウント部。
【図１】
2008170709.tif 000003
【図２】
2008170709.tif 000004
【図３】
2008170709.tif 000005
【図４】
2008170709.tif 000006
【図５】
2008170709.tif 000007